(57)【要約】    【課題】  視聴者の移動に合わせて、ある電子機器から他の電子機器に対し簡単に電子環境の移行を行うことが可能となると共に、視聴者の移動時間中における未視聴放送番組の録画により、移動時間中の放送番組の欠落の発生を解消可能とする。    【解決手段】  テレビジョン放送受信装置ＤＴＶ１（制御部２０Ａ、ＨＤＤ１３Ａ、表示器７Ａ）と、テレビジョン放送受信装置ＤＴＶ２（制御部２０Ｂ、ＨＤＤ１３Ｂ、表示器７Ｂ）をネットワーク信号線Ｌ００を介して接続する。ＤＴＶ１は、視聴者がＤＴＶ１の視聴場所から移動した場合に、ＤＴＶ１に関わる視聴情報を双方向リモコンＲＸへ送信し、視聴者が視聴中の番組の録画を開始する。ＤＴＶ２は、視聴場所から移動してきた視聴者がＤＴＶ２を起動した場合に、双方向リモコンＲＸから受信した視聴情報に基づき、ＤＴＶ１から録画番組を取得する。【選択図】      図２
2006094204.tif 000002
【特許請求の範囲】
【請求項１】
テレビ番組を受信可能な少なくとも第１及び第２のテレビジョン放送受信装置を通信可能に接続した放送受信システムであって、
前記第１のテレビジョン放送受信装置は、番組の録画が可能な記録手段と、視聴者が前記第１のテレビジョン放送受信装置の視聴場所から移動した場合に前記記録手段へ前記視聴者が視聴中の番組の録画を開始する記録制御手段とを備え、
前記第２のテレビジョン放送受信装置は、前記視聴場所から移動してきた前記視聴者が前記第２のテレビジョン放送受信装置を起動した場合に前記記録手段から前記録画番組を取得する取得手段を備えることを特徴とする放送受信システム。
【請求項２】
テレビ番組を受信可能な少なくとも第１及び第２のテレビジョン放送受信装置を通信可能に接続した放送受信システムであって、
前記第１のテレビジョン放送受信装置は、視聴者が前記第１のテレビジョン放送受信装置の視聴場所から移動した場合に前記第２のテレビジョン放送受信装置へ前記視聴者が視聴中の番組の録画開始を指示する指示手段を備え、
前記第２のテレビジョン放送受信装置は、番組の録画が可能な記録手段と、前記指示手段の指示に基づいて前記記録手段へ前記視聴者が視聴中の番組の録画を開始する記録制御手段とを備えることを特徴とする放送受信システム。
【請求項３】
前記第１及び第２のテレビジョン放送受信装置と通信可能で、前記第１のテレビジョン放送受信装置から前記第１のテレビジョン放送受信装置に関わる視聴情報の受信と、前記第２のテレビジョン放送受信装置に対する前記視聴情報の送信が可能な遠隔操作手段を備え、
前記第２のテレビジョン放送受信装置の前記取得手段は、前記遠隔操作手段から送信される前記視聴情報に基づいて前記記録手段から前記録画番組を取得することを特徴とする請求項１記載の放送受信システム。
【請求項４】
前記第１及び第２のテレビジョン放送受信装置と通信可能で、前記第１のテレビジョン放送受信装置から前記第１のテレビジョン放送受信装置に関わる視聴情報の受信と、前記第２のテレビジョン放送受信装置に対する前記視聴情報の送信が可能な遠隔操作手段を備え、
前記第２のテレビジョン放送受信装置は、前記視聴場所から移動してきた前記視聴者が前記第２のテレビジョン放送受信装置を起動した場合に、前記遠隔操作手段から送信される前記視聴情報に基づいて前記記録手段から前記録画番組を読み出すことを特徴とする請求項２記載の放送受信システム。
【請求項５】
前記第１及び第２のテレビジョン放送受信装置に着脱可能で、前記第１のテレビジョン放送受信装置での前記第１のテレビジョン放送受信装置に関わる視聴情報の書き込みと、前記第２のテレビジョン放送受信装置での前記視聴情報の読み出しが可能な情報記録媒体を備え、
前記第２のテレビジョン放送受信装置の前記取得手段は、前記情報記録媒体から読み出した前記視聴情報に基づいて前記記録手段から前記録画番組を取得することを特徴とする請求項１記載の放送受信システム。
【請求項６】
前記遠隔操作手段の通信方式は、赤外線通信方式、無線通信方式を含む群から選択されることを特徴とする請求項３又は４記載の放送受信システム。
【請求項７】
前記視聴情報は、視聴中のチャンネル、音量調整値、画質調整値、前記第１のテレビジョン放送受信装置のＩＤを含む群から選択されることを特徴とする請求項３乃至５の何れかに記載の放送受信システム。
【請求項８】
前記第１及び第２のテレビジョン放送受信装置は、視聴者の存在の有無を検知する検知手段と、前記検知手段により視聴者の移動による不在を検知した場合に自装置内の必要機能以外の電源を遮断する電源制御手段とをそれぞれ備えることを特徴とする請求項１又は２記載の放送受信システム。
【請求項９】
前記電源制御手段は、前記検知手段により視聴者の存在を検知した場合に自装置の電源を起動することを特徴とする請求項８記載の放送受信システム。
【請求項１０】
前記第２のテレビジョン放送受信装置は、前記録画番組を音声と映像が違和感なく変倍速で再生可能であることを特徴とする請求項１又は２記載の放送受信システム。
【請求項１１】
テレビ番組を受信可能なテレビジョン放送受信装置であって、
番組の録画が可能な記録手段と、視聴者が前記テレビジョン放送受信装置の視聴場所から他のテレビジョン放送受信装置の視聴場所に移動した場合に、前記記録手段へ前記視聴者が視聴中の番組の録画を開始する記録制御手段とを備えることを特徴とするテレビジョン放送受信装置。
【請求項１２】
テレビ番組を受信可能なテレビジョン放送受信装置であって、
前記テレビジョン放送受信装置の視聴場所に他のテレビジョン放送受信装置の視聴場所から移動してきた視聴者が前記テレビジョン放送受信装置を起動した場合に、前記他のテレビジョン放送受信装置に記録されている前記視聴者が視聴中の録画番組を取得する取得手段を備えることを特徴とするテレビジョン放送受信装置。
【請求項１３】
テレビ番組を受信可能な少なくとも第１及び第２のテレビジョン放送受信装置を通信可能に接続した放送受信システムの制御方法であって、
前記第１のテレビジョン放送受信装置は、視聴者が前記第１のテレビジョン放送受信装置の視聴場所から移動した場合に前記視聴者が視聴中の番組の録画を開始し、
前記第２のテレビジョン放送受信装置は、前記視聴場所から移動してきた前記視聴者が前記第２のテレビジョン放送受信装置を起動した場合に前記第１のテレビジョン放送受信装置から前記録画番組を取得することを特徴とする制御方法。
【請求項１４】
テレビ番組を受信可能な少なくとも第１及び第２のテレビジョン放送受信装置を通信可能に接続した放送受信システムの制御方法をコンピュータに実行させるプログラムであって、
前記第１のテレビジョン放送受信装置において、視聴者が前記第１のテレビジョン放送受信装置の視聴場所から移動した場合に前記視聴者が視聴中の番組の録画を開始するモジュールと、前記第２のテレビジョン放送受信装置において、前記視聴場所から移動してきた前記視聴者が前記第２のテレビジョン放送受信装置を起動した場合に前記第１のテレビジョン放送受信装置から前記録画番組を取得するモジュールとを備えることを特徴とするプログラム。
【発明の詳細な説明】
【技術分野】
【０００１】
本発明は、テレビ番組を受信可能な放送受信システム、テレビジョン放送受信装置、制御方法、及びプログラムに関する。
【背景技術】
【０００２】
従来、例えばＡＶ（Audio Visual）機器と情報処理装置を接続し、両者間で通信を行う通信ネットワークシステムのシリアルインタフェース規格としては、例えばＩＥＥＥ（Institute of Electrical and Electronics Engineers）１３９４シリアルバス等がある。また、複数の電子機器を通信可能に接続した通信ネットワークシステムにおいて、ある電子機器から他の電子機器へ簡単に電子環境を移行できるようにすることを可能とする技術が提案されている（例えば、特許文献１参照）。
【特許文献１】特開平１１−１４６４２６号公報
【発明の開示】
【発明が解決しようとする課題】
【０００３】
しかしながら、上述した従来技術においては、例えば、視聴者がライブによるテレビ番組を視聴している時に、ある電子機器から他の電子機器へ電子環境を移行させた場合（ある電子機器が設置されている部屋から他の電子機器が設置されている部屋に移動してテレビ番組を視聴する場合）、視聴者が移動時間中のライブ番組の欠落が発生し、欠落した部分を視聴することができないといった問題があった。
【０００４】
本発明の目的は、視聴者の移動に合わせて、ある電子機器から他の電子機器に対し簡単に電子環境の移行を行うことが可能となると共に、視聴者の移動時間中における未視聴放送番組の録画により、移動時間中の放送番組の欠落の発生を解消可能とした放送受信システム、テレビジョン放送受信装置、制御方法、及びプログラムを提供することにある。
【課題を解決するための手段】
【０００５】
上述の目的を達成するために、本発明の放送受信システムは、テレビ番組を受信可能な少なくとも第１及び第２のテレビジョン放送受信装置を通信可能に接続した放送受信システムであって、前記第１のテレビジョン放送受信装置は、番組の録画が可能な記録手段と、視聴者が前記第１のテレビジョン放送受信装置の視聴場所から移動した場合に前記記録手段へ前記視聴者が視聴中の番組の録画を開始する記録制御手段とを備え、前記第２のテレビジョン放送受信装置は、前記視聴場所から移動してきた前記視聴者が前記第２のテレビジョン放送受信装置を起動した場合に前記記録手段から前記録画番組を取得する取得手段を備えることを特徴とする。
【０００６】
上述の目的を達成するために、本発明の放送受信システムは、テレビ番組を受信可能な少なくとも第１及び第２のテレビジョン放送受信装置を通信可能に接続した放送受信システムであって、前記第１のテレビジョン放送受信装置は、視聴者が前記第１のテレビジョン放送受信装置の視聴場所から移動した場合に前記第２のテレビジョン放送受信装置へ前記視聴者が視聴中の番組の録画開始を指示する指示手段を備え、前記第２のテレビジョン放送受信装置は、番組の録画が可能な記録手段と、前記指示手段の指示に基づいて前記記録手段へ前記視聴者が視聴中の番組の録画を開始する記録制御手段とを備えることを特徴とする。
【発明の効果】
【０００７】
本発明によれば、第１のテレビジョン放送受信装置では、視聴者が第１のテレビジョン放送受信装置の視聴場所から移動した場合に視聴者が視聴中の番組の録画を開始し、第２のテレビジョン放送受信装置では、移動してきた視聴者が第２のテレビジョン放送受信装置を起動した場合に第１のテレビジョン放送受信装置から録画番組を取得する。これにより、現在の視聴場所から他の場所への視聴者の移動に合わせて、第１のテレビジョン放送受信装置から第２のテレビジョン放送受信装置に対し簡単に電子環境の移行を行うことができ、更に、視聴者の移動に伴う放送番組未視聴時間をも保証（未視聴放送番組の録画）することが可能となり、従来のような移動時間中の放送番組の欠落の発生を解消することができる。
【発明を実施するための最良の形態】
【０００８】
以下、本発明の実施の形態を図面に基づき説明する。
【０００９】
［第１の実施の形態］
図１は、本発明の第１の実施の形態に係るテレビジョン放送受信装置の構成を示すブロック図である。
【００１０】
図１に示すテレビジョン放送受信装置は、地上波デジタルチューナ１、第１復調部２、デマルチプレクサ（ＤＥＭＵＸ）３、映像デコーダ４、解像度変換部５、デジタルインタフェース（Ｉ／Ｆ）６、表示器７、ＢＳ（Broadcasting Satellite）／ＣＳ（Communications Satellite）チューナ８、第２復調部９、ＣＰＵ１０を有する制御部２０、セレクタ（ＳＥＬＥＣＴ）１１、ハードディスクドライブ（ＨＤＤ）Ｉ／Ｆ１２、ＨＤＤ１３、バスＩ／Ｆ１４、センサ１５、メモリ１６、リモコンＩ／Ｆ１７を備えている。
【００１１】
地上波デジタルチューナ１及びＢＳ／ＣＳチューナ８は、地上波アンテナまたはパラボナアンテナ（不図示）から地上波デジタル信号の空中波または衛星波をそれぞれ信号線Ｌｌ、信号線Ｌ８を介して受信し、帯域フィルタ、ダウンコンバータなどを通過させた後、それぞれ信号線Ｌ２、信号線Ｌ９を介して第１復調部２及び第２復調部９に出力する。第１復調部２及び第２復調部９は、受信信号に対し伝送形態に合致した復調処理を施すと共に誤り訂正処理などを行い、所望のＭＰＥＧ−２（Moving Picture Experts Group 2）トランスポートストリーム（ＴＳ：Transport Stream）データをそれぞれ信号線Ｌ３、信号線Ｌ１０を介してデマルチプレクサ３に受け渡す。
【００１２】
デマルチプレクサ３は、上記ＭＰＥＧ−２トランスポートストリームデータを、所望の番組の映像データと音声データと付加情報とに分離する。分離された音声データは、音声デコーダ（不図示）で復号され、オーディオデータとして出力される。オーディオデータの出力端子にアンプ、スピーカを接続すれば、受信した放送番組の音声を聞くことができる。また、分離された映像データは、映像デコーダ４で復号され、ラスタスキャン形式の表示フォーマットに変換された後、信号線Ｌ５を介して後段の解像度変換部５の拡大・縮小部に受け渡される。
【００１３】
解像度変換部５は、拡大・縮小部を備えている。解像度変換部５は、拡大・縮小部において、ＹＵＶの色差信号からＲＧＢ信号に変換するマトリクス回路や、走査方式をインタレース走査（飛び越し走査）からプログレッシブ走査（順次走査）に変換するＩ−Ｐ変換回路などによる前処理を行った後、制御部２０のＣＰＵ１０により表示フォーマット（表示ライン数、ドット数、色数）と予めプリセットされた画面レイアウト情報に基づいて、解像度変換パラメータ（拡大率、縮小率、拡大縮小の重み付けフィルタ係数等）を設定することで、拡大・縮小・等倍処理を行う。
【００１４】
解像度変換部５で処理されたデータは、信号線Ｌ６を介してデジタルＩ／Ｆ６へ送られる。デジタルＩ／Ｆ６は、表示器７の解像度に対応した表示フォーマットにデータを変換し、信号線Ｌ７を介して表示器７に出力する。表示器７は、デジタルＩ／Ｆ６から出力されるデータに基づいて放送番組を表示する。
【００１５】
また、第１復調部２及び第２復調部９は、制御部２０のＣＰＵ１０の制御下で、上記ＭＰＥＧ−２トランスポートストリームデータをそれぞれ信号線Ｌ３、信号線Ｌ１０を介してセレクタ１１に出力する。ＭＰＥＧ−２トランスポートストリームデータは、セレクタ１１及びＨＤＤＩ／Ｆ１２を介してＨＤＤ１３へ記録され、必要に応じてＨＤＤＩ／Ｆ１２を介してＨＤＤ１３から読み出される。
【００１６】
制御部２０は、ＣＰＵ１０を備えており、図１に示すテレビジョン放送受信装置の制御を司る。ＣＰＵ１０は、メモリ１６或いはＨＤＤ１３に格納された制御プログラムに基づいて、図３・図４（第１の実施の形態）、図５・図６（第２の実施の形態）、図８・図９（第３の実施の形態）、図１１・図１２（第４の実施の形態）の各フローチャートに示す処理を実行する。セレクタ１１は、ＣＰＵ１０の制御に基づいて、第１復調部２の出力または第２復調部９の出力の何れかを選択する。
【００１７】
ＨＤＤＩ／Ｆ１２は、ＨＤＤ１３に対するアクセス制御を行う双方向インタフェースである。ＨＤＤ１３は、ＭＰＥＧ−２トランスポートストリームデータを記憶することで、放送番組の録画が可能な記憶装置である。また、ＨＤＤ１３は、同時記録再生機能、追っかけ再生（録画番組を等倍速で再生するのではなく、音声と映像が違和感なく再生できる程度の変倍速にて行う再生）機能等のタイムシフト機能を備えている。ＨＤＤ１３に蓄えられたデータは、ＨＤＤＩ／Ｆ１２の制御により、信号線Ｌ１２、信号線Ｌ１１を介してデマルチプレクサ３へ転送され、更に映像デコーダ４を経由し信号線Ｌ１４を介してバスＩ／Ｆ１４に転送される。
【００１８】
バスＩ／Ｆ１４は、ＣＰＵ１０の制御に基づいて、ＨＤＤ１３に蓄えられたデータを信号線Ｌ１４を介して外部へ送信あるいは外部からデータを受信する送受信機能を有するインタフェースである。バスＩ／Ｆ１４は、有線または無線（ＩＥＥＥＳｔｄ８０２．１１）の何れであっても構わない。バスＩ／Ｆ１４には、ネットワーク信号線（通信バスケーブル）Ｌ００が接続されている。ネットワーク信号線Ｌ００は、有線または無線の何れであっても構わない。
【００１９】
センサ１５は、例えばテレビジョン放送受信装置の筐体外部に配設され、視聴場所における視聴者の移動の有無（存在、不存在）を検知するものであり、視聴場所からの視聴者の移動を検知すると、移動検知信号をＣＰＵ１０に出力する。メモリ１６は、ＣＰＵ１０の記憶装置として使用されると共に、テレビジョン放送受信装置に関わる視聴情報（視聴中のチャンネル、音量調整値、画質調整値（コントラスト調整値、輝度調整値）、テレビジョン放送受信装置のＩＤ（機器番号）等）を記憶する。リモコンＩ／Ｆ１７は、視聴者が双方向リモコン（図２参照）によって電源のオン／オフ、放送番組の選局、音量調整、コントラスト調整、輝度調整を行ったり、現在の視聴場所から他の場所へ移動したりする場合のトリガ機能を有するインタフェースである。
【００２０】
図２は、本実施の形態に係る放送受信システムとしてのテレビジョン放送受信システムの構成を示す図である。
【００２１】
図２では、図１に示すテレビジョン放送受信装置が、視聴者が居住する建屋内の２つの部屋（Ｒｏｏｍ１、Ｒｏｏｍ２）に設置されているものとする。即ち、Ｒｏｏｍ１にはテレビジョン放送受信装置ＤＴＶ１（制御部２０Ａ、ＨＤＤ１３Ａ、表示器７Ａ）が、Ｒｏｏｍ２にはテレビジョン放送受信装置ＤＴＶ２（制御部２０Ｂ、ＨＤＤ１３Ｂ、表示器７Ｂ）がそれぞれ設置されており、ＤＴＶ１とＤＴＶ２とはネットワーク信号線Ｌ００を介して接続されている。図示の矢印は、双方向リモコンＲＸを持った視聴者がＲｏｏｍ１からＲｏｏｍ２へ移動した状態を表している。
【００２２】
双方向リモコンＲＸは、本実施の形態では赤外線通信を行うものであり、ＤＴＶ１、ＤＴＶ２の電源をオン／オフするための電源ボタン、放送番組を選局するための選局ボタン、音量調整ボタン、コントラスト調整ボタン、輝度調整ボタン、視聴者が視聴場所を移動（Ｒｏｏｍ１→Ｒｏｏｍ２、Ｒｏｏｍ２→Ｒｏｏｍ１）する際に操作する移動ボタン（以上不図示）等を備えている。
【００２３】
尚、図２、図７及び図１０に示すテレビジョン放送受信装置ＤＴＶ１は、図１に示す構成を有し、各構成要素にＡに付す。また、図２、図７及び図１０に示すテレビジョン放送受信装置ＤＴＶ２も、図１に示す構成を有し、各構成要素にＢに付す。
【００２４】
次に、上記構成を有する本実施の形態のテレビジョン放送受信装置ＤＴＶ１及びＤＴＶ２における動作を図３及び図４のフローチャートを参照しながら詳細に説明する。
【００２５】
図３は、テレビジョン放送受信装置ＤＴＶ１（Ｒｏｏｍ１）の制御方法を示すフローチャートである。
【００２６】
今、視聴者がＲｏｏｍ１でテレビジョン放送受信装置ＤＴＶ１によりテレビ番組を視聴しているものとする。双方向リモコンＲＸは、ある周期でＤＴＶ１のリモコンＩ／Ｆ１７を介して制御部２０ＡのＣＰＵ１０との間で情報のやり取りを行っている。例えば、双方向リモコンＲＸからＤＴＶ１に送信する情報は、視聴者により設定された音量調整値・輝度調整値・コントラスト調整値・テレビ番組のチャンネル切り替え等を示す情報である。
【００２７】
図３において、Ｒｏｏｍ１にいる視聴者がＲｏｏｍ２へ移動するために、双方向リモコンＲＸの移動ボタン（不図示）を押すと、その移動ボタン情報がＤＴＶ１のリモコンＩ／Ｆ１７を介して制御部２０ＡのＣＰＵ１０へ通知される。ＤＴＶ１のＣＰＵ１０は、移動ボタン情報（コマンド）を解析し（ステップＳ３１）、移動コマンドでないと判断した場合は、次のコマンド解析ルーチンへジャンプし（本処理を終了し）、解析結果が移動コマンドであると判断した場合は、ステップＳ３２へ進む。
【００２８】
移動コマンドであると判断した場合、ＤＴＶ１のＣＰＵ１０は、視聴者が現在視聴しているＤＴＶ１に関わる視聴情報（視聴中のチャンネル、音量調整値、コントラスト調整値、輝度調整値、ＤＴＶ１のＩＤ等）をメモリ１６から読み出し、信号線Ｌ１４を介してリモコンＩ／Ｆ１７経由で双方向リモコンＲＸへ転送する（ステップＳ３２）。次に、ＤＴＶ１のＣＰＵ１０は、ＤＴＶ１内の不要電源（必要機能以外の電源）として表示器７Ａの電源を遮断する（ステップＳ３３）。次に、ＤＴＶ１のＣＰＵ１０は、ＨＤＤ１３Ａに視聴者が現在視聴中の番組の録画を開始する（ステップＳ３４）。
【００２９】
例えば、視聴者が地上波デジタル放送番組を視聴していたとすると、ＤＴＶ１の地上波デジタルチューナ１が信号線Ｌ１を介して受信した地上波放送信号を信号線Ｌ２を介して第１復調部２へ送信する。第１復調部２から出力されたＴＳ信号は、信号線Ｌ３を介してセレクタ１１に送られる。セレクタ１１は、ＣＰＵ１０の制御に基づいて第１復調部２の出力情報と第２復調部９の出力情報の何れかを選択し、ＨＤＤＩ／Ｆ１２を介してＨＤＤ１３Ａに地上波デジタル放送番組の録画を開始する。
【００３０】
この後、ＤＴＶ１のＣＰＵ１０は、ＤＴＶ１とＤＴＶ２との間に接続されているネットワーク信号線Ｌ００を介してＤＴＶ２から制御信号（停止信号）が来るまで（ステップＳ３５）、ＨＤＤ１３Ａに対する現在視聴中の番組の録画を継続する。
【００３１】
図４は、テレビジョン放送受信装置ＤＴＶ２（Ｒｏｏｍ２）の制御方法を示すフローチャートである。
【００３２】
図４において、Ｒｏｏｍ１からＲｏｏｍ２へ移動した視聴者は双方向リモコンＲＸを操作し、操作情報をＤＴＶ２の制御部２０ＢのＣＰＵ１０へ送信する。ＤＴＶ２のＣＰＵ１０は、操作情報（コマンド）を解析し（ステップＳ４１）、移動コマンドでない（移動ボタンが操作されていない）と判断した場合は、本処理を終了し、移動コマンドである（移動ボタンが操作された）と判断した場合は、ステップＳ４２へ進む。
【００３３】
移動ボタンが操作されたと判断した場合、ＤＴＶ２のＣＰＵ１０は、ＤＴＶ２の電源を起動する（ステップＳ４２）。次に、双方向リモコンＲＸから、Ｒｏｏｍ１におけるＤＴＶ１の電源遮断直前のＤＴＶ１に関わる視聴情報（視聴中のチャンネル、音量調整値、コントラスト調整値、輝度調整値、ＤＴＶ１のＩＤ等）をＤＴＶ２のＣＰＵ１０に転送する（ステップＳ４３）。これに伴い、ＤＴＶ２のＣＰＵ１０は、上記視聴情報に基づいて、バスＩ／Ｆ１４からネットワーク信号線Ｌ００を介してＤＴＶ１のＨＤＤ１３Ａから録画番組の情報を読み出し、録画番組の情報を再度ネットワーク信号線Ｌ００を介してＤＴＶ２へ転送する（取得する）準備を行う（ステップＳ４４）。
【００３４】
次に、ＤＴＶ２のＣＰＵ１０は、ＤＴＶ１からネットワーク信号線Ｌ００を介して受信した録画番組を再生するにあたり、追っかけ再生を実行するか否かを判断する（ステップＳ４５）。追っかけ再生を実行しない場合は、ＤＴＶ２のＣＰＵ１０は、ＤＴＶ２で等倍速にて音声と映像を再生する（ステップＳ４８）。視聴者が所望番組の視聴を完了すれば、ＤＴＶ２のＣＰＵ１０は、ネットワーク信号線Ｌ００を介してＤＴＶ１のＨＤＤ１３Ａの機能を停止させる（ステップＳ４９）。
【００３５】
一方、追っかけ再生を実行する場合は、ＤＴＶ２のＣＰＵ１０は、ＤＴＶ２からネットワーク信号線Ｌ００を介してコマンドを発行し、ＤＴＶ１のＣＰＵ１０へ通知する（ステップＳ４６）。これにより、ＤＴＶ１のＣＰＵ１０は、信号線Ｌ１４を介してＨＤＤＩ／Ｆ１２に指示を出すことでＨＤＤ１３Ｂの録画番組の情報を読み出す。録画番組の情報は、信号線Ｌ１２、信号線Ｌ１１、信号線Ｌ３を介してデマルチプレクサ３と映像デコーダ４を経由し、信号線Ｌ１４へ導かれる。ＤＴＶ１のＣＰＵ１０は、録画番組の情報を、等倍速より若干早い速度（例えば、１．４倍速）にて音声と映像を早送りする形式でバスＩ／Ｆ１４を経由し、ネットワーク信号線Ｌ００を介してＤＴＶ２へ送信する。
【００３６】
ＤＴＶ２のＣＰＵ１０は、追っかけ再生（本実施の形態では早送り再生）において、録画がライブ番組に追いついたか否かを常時検知しており（ステップＳ４７）、もし録画がライブ番組に追いつかない場合は、上記ステップＳ４６へ戻り同様な処理を繰り返し、逆に録画がライブ番組に追いついた場合は、通常番組視聴を可能とするために録画再生からライブ番組への切り替えを行う（ステップＳ４８）。この後、ＤＴＶ２のＣＰＵ１０は、ネットワーク信号線Ｌ００を介してＤＴＶ１のＨＤＤ１３Ａの機能を停止させ（ステップＳ４９）、本処理を終了する。
【００３７】
以上説明したように、本実施の形態によれば、テレビジョン放送受信装置ＤＴＶ１では、視聴者がＤＴＶ１の視聴場所から移動した場合に視聴者が視聴中の番組の録画を開始し、テレビジョン放送受信装置ＤＴＶ２では、移動してきた視聴者がＤＴＶ２を起動した場合にＤＴＶ１から録画番組を取得する。これにより、現在の視聴場所から他の場所への視聴者の移動に合わせて、あるテレビジョン放送受信装置から他のテレビジョン放送受信装置に対し簡単に電子環境の移行を行うことができ、更に、視聴者の移動に伴う放送番組未視聴時間をも保証（未視聴放送番組の録画）することが可能となり、従来のような移動時間中の放送番組の欠落の発生を解消することができる。
【００３８】
［第２の実施の形態］
本発明の第２の実施の形態は、上述した第１の実施の形態に対して、下記の点において相違する。本実施の形態のその他の要素は、上述した第１の実施の形態（図１、図２）の対応するものと同一なので、説明を省略する。
【００３９】
本実施の形態が上述した第１の実施の形態と相違する点は、人物を検知するセンサ１５をテレビジョン放送受信装置（ＤＴＶ１、ＤＴＶ２）に内蔵している点と、双方向リモコンＲＸが赤外線通信機能ではなくBluetooth（無線）通信機能を有する点である。
【００４０】
図５は、テレビジョン放送受信装置ＤＴＶ１（Ｒｏｏｍ１）の制御方法を示すフローチャートである。
【００４１】
図５において、Ｒｏｏｍ１でＤＴＶ１によりテレビ番組を視聴している視聴者がＲｏｏｍ２へ移るために移動を開始したとすると、ＤＴＶ１のセンサ１５においてはＲｏｏｍ１内の視聴者の検知ができなくなる結果（換言すれば視聴者の移動を検知する結果）、センサ１５から移動検知信号がＤＴＶ１の制御部２０ＡのＣＰＵ１０へ出力される（ステップＳ５１）。
【００４２】
ＤＴＶ１のＣＰＵ１０は、移動検知信号の受信に伴い、メモリ１６から視聴者が現在視聴しているＤＴＶ１に関わる視聴情報（視聴中のチャンネル、音量調整値、コントラスト調整値、輝度調整値、ＤＴＶ１のＩＤ等）を読み出し、移動する視聴者の所有している双方向リモコンＲＸにリモコンＩ／Ｆ１７を介して送信する（ステップＳ５２）。同時に、ＤＴＶ１のＣＰＵ１０は、視聴者が現在視聴している番組を録画する指示を信号線Ｌ１４を介してセレクタ１１とＨＤＤＩ／Ｆ１２に対して出力することにより、ＤＴＶ１のＨＤＤ１３Ａに視聴者が現在視聴している番組の録画を開始する（ステップＳ５３）。
【００４３】
例えば、視聴者がＤＴＶ１でＢＳデジタル放送番組を視聴していたとすると、ＤＴＶ１は衛星波をパラボラアンテナにて受信し、信号線Ｌ８を介してＢＳ／ＣＳチューナ８へ入力し、更に信号線Ｌ９を介して第２復調部９を経由し、信号線Ｌ１０、セレクタ１１、ＨＤＤＩ／Ｆ１２を介してＨＤＤ１３Ａに記録することで、ＢＳデジタル放送番組の録画を開始する。
【００４４】
この後、ＤＴＶ１のＣＰＵ１０は、ＤＴＶ１の不要電源として表示器７Ａの電源とその周辺回路の電源の遮断を行う（ステップＳ５４）。
【００４５】
図６は、テレビジョン放送受信装置ＤＴＶ２（Ｒｏｏｍ２）の制御方法を示すフローチャートである。
【００４６】
図６において、Ｒｏｏｍ１からＲｏｏｍ２への視聴者の移動に伴い、ＤＴＶ２のセンサ１５により視聴者の存在を検知すると（ステップＳ６１）、ＤＴＶ２のＣＰＵ１０は、リモコンＩ／Ｆ１７を介してＤＴＶ２の電源を起動する（ステップＳ６２）。ＤＴＶ２のＣＰＵ１０は、ＤＴＶ２の電源起動と同時に、リモコンＩ／Ｆ１７を介して双方向リモコンＲＸへ通信可能である旨を示す通信可能信号を送信する。
【００４７】
双方向リモコンＲＸは、ＤＴＶ２から通信可能信号を無線により受信すると、無線送信によりＤＴＶ２のリモコンＩ／Ｆ１７を介して、Ｒｏｏｍ１でＤＴＶ１の電源遮断直前のＤＴＶ１に関わる視聴情報（視聴中のチャンネル、音量調整値、コントラスト調整値、輝度調整値、ＤＴＶ１のＩＤ等）をＤＴＶ２のＣＰＵ１０に対し転送する（ステップＳ６３）。以下、ステップＳ６４〜ステップＳ６９の処理は、上記図４のステップＳ４４〜ステップＳ４９の処理と同様であるため、説明を省略する。
【００４８】
以上説明したように、本実施の形態によれば、双方向リモコンＲＸが赤外線通信機能ではなくBluetooth（無線）通信機能を有する場合でも、上述した第１の実施の形態と同様に、現在の視聴場所から他の場所への視聴者の移動に合わせてテレビジョン放送受信装置間で簡単に電子環境の移行を行うことができ、従来のような移動時間中の放送番組の欠落の発生を解消することができる。
【００４９】
［第３の実施の形態］
本発明の第３の実施の形態は、上述した第１及び第２の実施の形態に対して、下記の点において相違する。本実施の形態のその他の要素は、上述した第１の実施の形態（図１）の対応するものと同一なので、説明を省略する。
【００５０】
本実施の形態が上述した第１及び第２の実施の形態と相違する点は、テレビジョン放送受信装置に人物（視聴者）を検知するセンサ１５を設置する代わりに、テレビジョン放送受信装置に物理的に着脱可能なメモリカードを用いる点である。本実施の形態では、不揮発性メモリを有するカード状の記憶媒体をメモリカードと呼ぶ。なお、本実施の形態は、メモリカード以外の記憶媒体で実現することも可能である。
【００５１】
図７は、本実施の形態に係るテレビジョン放送受信システムの構成を示す図である。
【００５２】
図７では、図１に示すテレビジョン放送受信装置が、視聴者が居住する建屋内の２つの部屋（Ｒｏｏｍ１、Ｒｏｏｍ２）に設置されているものとする。即ち、Ｒｏｏｍ１にはテレビジョン放送受信装置ＤＴＶ１（制御部２０Ａ、ＨＤＤ１３Ａ、表示器７Ａ）が、Ｒｏｏｍ２にはテレビジョン放送受信装置ＤＴＶ２（制御部２０Ｂ、ＨＤＤ１３Ｂ、表示器７Ｂ）がそれぞれ設置されており、ＤＴＶ１とＤＴＶ２とはネットワーク信号線Ｌ００を介して接続されている。図示の矢印は、メモリカード（情報記録媒体）を持った視聴者がＲｏｏｍ１からＲｏｏｍ２へ移動した状態を表している。
【００５３】
更に、制御部２０Ａ、制御部２０Ｂは、メモリカード３０Ａ（３０Ｂ）が着脱可能に構成されている。メモリカードには、ＤＴＶに関わる視聴情報（視聴中のチャンネル、音量調整値、コントラスト調整値、輝度調整値、ＤＴＶのＩＤ等）が書き込まれるフラッシュメモリが内蔵されている。尚、図７では、Ｒｏｏｍ１とＲｏｏｍ２を区別するため、メモリカードに符号３０Ａと符号３０Ｂを付加しているが、メモリカード３０Ａ（３０Ｂ）は視聴者が所有している単一の同じカードである。
【００５４】
図８は、テレビジョン放送受信装置ＤＴＶ１（Ｒｏｏｍ１）の制御方法を示すフローチャートである。
【００５５】
図８において、Ｒｏｏｍ１でＤＴＶ１によりテレビ番組を視聴している視聴者がメモリカードを制御部２０Ａに装着すると、ＤＴＶ１のＣＰＵ１０は、ＤＴＶ１のメモリ１６に記憶されているＤＴＶ１に関わる視聴情報（視聴中のチャンネル、音量調整値、コントラスト調整値、輝度調整値、ＤＴＶ１のＩＤ等）を、信号線Ｌ１４を介してカードＩ／Ｆ（不図示）経由でメモリカードに書き込む（ステップＳ８１）。
【００５６】
次に、視聴者がＲｏｏｍ１からＲｏｏｍ２へ移動するためにＤＴＶ１の制御部２０Ａからメモリカードを抜いたとする。ＤＴＶ１のＣＰＵ１０は、ＤＴＶ１からメモリカードが抜かれたか否かを定期的に監視しており（ステップＳ８２）、メモリカードが抜かれていないと判断した場合は、本処理を終了し、メモリカードが抜かれたと判断した場合は、ステップＳ８３へ進む。ＤＴＶ１からメモリカードが抜かれた場合、ＤＴＶ１のＣＰＵ１０は、視聴者が現在視聴している番組を録画する指示を信号線Ｌ１４を介してセレクタ１１とＨＤＤＩ／Ｆ１２に対して出力することにより、ＤＴＶ１のＨＤＤ１３Ａに視聴者が現在視聴している番組の録画を開始する（ステップＳ８３）。
【００５７】
例えば、視聴者がＤＴＶ１でＢＳデジタル放送番組を視聴していたとすると、ＤＴＶ１は衛星波をパラボラアンテナにて受信し、信号線Ｌ８を介してＢＳ／ＣＳチューナ８へ入力し、更に信号線Ｌ９を介して第２復調部９を経由し、信号線Ｌ１０、セレクタ１１、ＨＤＤＩ／Ｆ１２を介してＨＤＤ１３Ａに記録することで、ＢＳデジタル放送番組の録画を開始する。
【００５８】
この後、ＤＴＶ１のＣＰＵ１０は、ＤＴＶ１の不要電源として表示器７Ａの電源とその周辺回路の電源の遮断を行う（ステップＳ８４）。
【００５９】
図９は、テレビジョン放送受信装置ＤＴＶ２（Ｒｏｏｍ２）の制御方法を示すフローチャートである。
【００６０】
図９において、Ｒｏｏｍ１からＲｏｏｍ２へ移動した視聴者はＤＴＶ２の制御部２０Ｂに、ＤＴＶ１の制御部２０Ａから抜いたメモリカードを挿入する。ＤＴＶ２のＣＰＵ１０は、ＤＴＶ２に対するメモリカードの挿入の有無を定期的に監視しており（ステップＳ９１）、メモリカードが挿入されていないと判断した場合は、本処理を終了し、メモリカードが挿入されたと判断した場合は、ステップＳ９２へ進む。
【００６１】
ＤＴＶ２にメモリカードが挿入された場合、ＤＴＶ２のＣＰＵ１０は、ＤＴＶ２の電源を起動する（ステップＳ９２）。次に、ＤＴＶ２のＣＰＵ１０は、カードＩ／Ｆを介して、メモリカードに記憶されているＲｏｏｍ１のＤＴＶ１の電源遮断直前のＤＴＶ１に関わる視聴情報（視聴中のチャンネル、音量調整値、コントラスト調整値、輝度調整値、ＤＴＶ１のＩＤ等）を読み出す（ステップＳ９３）。以下、ステップＳ９４〜ステップＳ９９の処理は、上記図４のステップＳ４４〜ステップＳ４９の処理と同様であるため、説明を省略する。
【００６２】
以上説明したように、本実施の形態によれば、視聴者検知用のセンサを使用する代わりにメモリカードを使用した場合でも、上述した第１の実施の形態と同様に、現在の視聴場所から他の場所への視聴者の移動に合わせてテレビジョン放送受信装置間で簡単に電子環境の移行を行うことができ、従来のような移動時間中の放送番組の欠落の発生を解消することができる。
【００６３】
［第４の実施の形態］
本発明の第４の実施の形態は、上述した第１乃至第３の実施の形態に対して、下記の点において相違する。本実施の形態のその他の要素は、上述した第１の実施の形態（図１）の対応するものと同一なので、説明を省略する。
【００６４】
本実施の形態が上述した第３の実施の形態と相違する点は、メモリカードを使用する代わりに、上述した第１及び第２の実施の形態で既に説明した双方向リモコンを使用する点と、対象となる２つのテレビジョン放送受信装置のうち片方のテレビジョン放送受信装置にＨＤＤを装備した点である。
【００６５】
図１０は、本実施の形態に係るテレビジョン放送受信システムの構成を示す図である。
【００６６】
図１０では、図１に示すテレビジョン放送受信装置が、視聴者が居住する建屋内の２つの部屋（Ｒｏｏｍ１、Ｒｏｏｍ２）に設置されているものとする。即ち、Ｒｏｏｍ１にはテレビジョン放送受信装置ＤＴＶ１（制御部２０Ａ、表示器７Ａ）が、Ｒｏｏｍ２にはテレビジョン放送受信装置ＤＴＶ２（制御部２０Ｂ、ＨＤＤ１３Ｂ、表示器７Ｂ）がそれぞれ設置されており、ＤＴＶ１とＤＴＶ２とはネットワーク信号線Ｌ００を介して接続されている。図示の矢印は、双方向リモコンＲＸを持った視聴者がＲｏｏｍ１からＲｏｏｍ２へ移動した状態を表している。
【００６７】
図１１は、テレビジョン放送受信装置ＤＴＶ１（Ｒｏｏｍ１）の制御方法を示すフローチャートである。
【００６８】
今、視聴者がＲｏｏｍ１でテレビジョン放送受信装置ＤＴＶ１によりテレビ番組を視聴しているものとする。双方向リモコンＲＸは、ある周期でＤＴＶ１のリモコンＩ／Ｆ１７を介して制御部２０ＡのＣＰＵ１０との間で情報のやり取りを行っている。例えば、双方向リモコンＲＸからＤＴＶ１に送信する情報は、視聴者により設定された音量調整値・輝度調整値・コントラスト調整値・テレビ番組のチャンネル切り替え等を示す情報である。
【００６９】
図１１において、Ｒｏｏｍ１にいる視聴者がＲｏｏｍ２へ移動するために、双方向リモコンＲＸの移動ボタンを押すと、その移動ボタン情報がＤＴＶ１のリモコンＩ／Ｆ１７を介して制御部２０ＡのＣＰＵ１０へ通知される。ＤＴＶ１のＣＰＵ１０は、移動ボタン情報（コマンド）を解析し（ステップＳ１１１）、移動コマンドでないと判断した場合は、次のコマンド解析ルーチンへジャンプし（本処理を終了し）、移動コマンドであると判断した場合は、ステップＳ１１２へ進む。
【００７０】
移動コマンドであると判断した場合、ＤＴＶ１のＣＰＵ１０は、視聴者が現在視聴しているＤＴＶ１に関わる視聴情報（視聴中のチャンネル、音量調整値、コントラスト調整値、輝度調整値、ＤＴＶ１のＩＤ等）をメモリ１６から読み出し、信号線Ｌ１４を介してリモコンＩ／Ｆ１７経由で双方向リモコンＲＸへ転送する（ステップＳ１１２）。
【００７１】
次に、ＤＴＶ１のＣＰＵ１０は、ＤＴＶ１内に放送番組録画用のＨＤＤを装備していないため、ネットワーク信号線Ｌ００を介して相手先のＤＴＶ２に対してＨＤＤの有無を確認する（ステップＳ１１３）。ＤＴＶ２にＨＤＤが装備されていない場合は、本処理を終了し、ＤＴＶ２にＨＤＤが装備されている場合は、ステップＳ１１４へ進む。ＤＴＶ２にＨＤＤが装備されている場合、ＤＴＶ１のＣＰＵ１０は、ネットワーク信号線Ｌ００を介してＤＴＶ２のＣＰＵ１０に対し、視聴者がＤＴＶ１で現在視聴中の番組のチャンネルを通知（番組の録画開始を指示）する（ステップＳ１１４）。これに伴い、ＤＴＶ２のＣＰＵ１０は、ＨＤＤ１３Ｂに視聴者が現在視聴中の番組の録画を開始する。
【００７２】
例えば、視聴者が地上波デジタル放送番組を視聴していたとすると、ＤＴＶ２の地上波デジタルチューナ１が信号線Ｌ１を介して受信した地上波放送信号を信号線Ｌ２を介して第１復調部２へ送信する。第１復調部２から出力されたＴＳ信号は、信号線Ｌ３を介してセレクタ１１に送られる。セレクタ１１は、ＣＰＵ１０の制御に基づいて第１復調部２の出力情報と第２復調部９の出力情報の何れかを選択し、ＨＤＤＩ／Ｆ１２を介してＨＤＤ１３Ｂに地上波デジタル放送番組の録画を開始する。
【００７３】
この後、ＤＴＶ１のＣＰＵ１０は、上記一連の処理の完了を確認した後、ＤＴＶ１の不要な電源を遮断し（ステップＳ１１５）、本処理を終了する。
【００７４】
図１２は、テレビジョン放送受信装置ＤＴＶ２（Ｒｏｏｍ２）の制御方法を示すフローチャートである。
【００７５】
図１２において、Ｒｏｏｍ１からＲｏｏｍ２へ移動した視聴者は双方向リモコンＲＸを操作し、操作情報をＤＴＶ２の制御部２０ＢのＣＰＵ１０へ送信する。ＤＴＶ２のＣＰＵ１０は、操作情報（コマンド）を解析し（ステップＳ１２１）、移動コマンドでない（移動ボタンが操作されていない）と判断した場合は、本処理を終了し、移動コマンドである（移動ボタンが操作された）と判断した場合は、ステップＳ１２２へ進む。
【００７６】
移動ボタンが操作されたと判断した場合、ＤＴＶ２のＣＰＵ１０は、ＤＴＶ２の電源を起動する（ステップＳ１２２）。次に、双方向リモコンＲＸから、Ｒｏｏｍ１におけるＤＴＶ１の電源遮断直前のＤＴＶ１に関わる視聴情報（視聴中のチャンネル、音量調整値、コントラスト調整値、輝度調整値、ＤＴＶ１のＩＤ等）をＤＴＶ２のＣＰＵ１０に転送する（ステップＳ１２３）。以下、ステップＳ１２４〜ステップＳ１２９の処理は、記憶装置がＨＤＤ１３ＡからＨＤＤ１３Ｂに代わる以外は、上記図４のステップＳ４４〜ステップＳ４９の処理と同様であるため、説明を省略する。
【００７７】
以上説明したように、本実施の形態によれば、片方のテレビジョン放送受信装置しか番組録画用のＨＤＤを装備していない場合でも、上述した第１の実施の形態と同様に、現在の視聴場所から他の場所への視聴者の移動に合わせてテレビジョン放送受信装置間で簡単に電子環境の移行を行うことができ、従来のような移動時間中の放送番組の欠落の発生を解消することができる。
【００７８】
［他の実施の形態］
上記第１乃至第４の実施の形態では、２台のテレビジョン放送受信装置を通信可能に接続した構成を例に挙げたが、これに限定されるものではなく、３台以上のテレビジョン放送受信装置を通信可能に接続した構成にも適用可能である。
【００７９】
上記第１乃至第４の実施の形態では、テレビジョン放送受信装置に関わる視聴情報として、視聴中のチャンネル、音量調整値、コントラスト調整値、輝度調整値、テレビジョン放送受信装置のＩＤ等を例に挙げたが、これに限定されるものではなく、上記視聴情報のうち任意の情報を用いる構成や、上記視聴情報に他の情報を追加する構成としてもよい。
【００８０】
上記第１乃至第４の実施の形態では、視聴者検知用のセンサ１５をテレビジョン放送受信装置の筐体外部または筐体内部に配設する構成としたが、これに限定されるものではなく、視聴者検知用のセンサをテレビジョン放送受信装置が設置されている部屋の出入口等に配設し、該センサとテレビジョン放送受信装置とを信号伝送可能に接続する構成としてもよい。
【００８１】
上記第４の実施の形態では、テレビジョン放送受信装置ＤＴＶ１側にＨＤＤを装備せず、テレビジョン放送受信装置ＤＴＶ２側にＨＤＤを装備する構成としたが、これに限定されるものではなく、ＤＴＶ２側にＨＤＤを装備せず、ＤＴＶ１側にＨＤＤを装備する構成としてもよい。この場合は、ネットワーク信号線Ｌ００を挟んでＤＴＶ１及びＤＴＶ２双方のＣＰＵ１０が通信を行うことにより実現可能である。
【００８２】
本発明は、上述した実施の形態の機能を実現するソフトウェアのプログラム（図３、図４、図５、図６、図８、図９、図１１、図１２のフローチャート）をコンピュータ又はＣＰＵに供給し、そのコンピュータ又はＣＰＵが該供給されたプログラムを読出して実行することによって、達成することができる。
【００８３】
この場合、上記プログラムは、該プログラムを記録した記憶媒体から直接供給されるか、又はインターネット、商用ネットワーク、若しくはローカルエリアネットワーク等に接続される不図示の他のコンピュータやデータベース等からダウンロードすることにより供給される。
【００８４】
上記プログラムの形態は、オブジェクトコード、インタプリタにより実行されるプログラムコード、ＯＳ（オペレーティングシステム）に供給されるスクリプトデータ等の形態から成ってもよい。
【００８５】
また、本発明は、上述した実施の形態の機能を実現するソフトウェアのプログラムを記憶した記憶媒体をコンピュータ又はＣＰＵに供給し、そのコンピュータ又はＣＰＵが記憶媒体に記憶されたプログラムを読出して実行することによっても、達成することができる。
【００８６】
この場合、記憶媒体から読出されたプログラムコード自体が上述した各実施の形態の機能を実現すると共に、そのプログラムコードを記憶した記憶媒体は本発明を構成する。
【００８７】
プログラムコードを記憶する記憶媒体としては、例えば、ＲＯＭ、ＲＡＭ、ＮＶ−ＲＡＭ、フロッピー（登録商標）ディスク、ハードディスク、光ディスク（登録商標）、光磁気ディスク、ＣＤ−ＲＯＭ、ＭＯ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード等がある。
【００８８】
上述した実施の形態の機能は、コンピュータから読出されたプログラムコードを実行することによるばかりでなく、コンピュータ上で稼動するＯＳ等がプログラムコードの指示に基づいて実際の処理の一部又は全部を行うことによっても実現することができる。
【００８９】
更に、本発明は、前述した実施の形態を実現するソフトウェアのプログラムがネットワーク上のデータベース又はホームページから通信プログラムによりダウンロードされ、このプログラムを読出して実行することによって達成することができる。
【００９０】
上記プログラムは、クライアントコンピュータのブラウザを用いてインターネットのホームページに接続し、該ホームページからコンピュータプログラム自体、又は自動インストール機能を含む圧縮ファイルをハードディスク等の記憶媒体にダウンロードすることによっても供給することができる。
【００９１】
また、上記プログラムは、プログラムコードを暗号化した上で格納したＣＤ−ＲＯＭ等の記憶媒体をユーザに配布し、所定の条件をクリアしたユーザに対し、インターネットを介してホームページから暗号化を解く鍵情報をダウンロードさせ、その鍵情報を使用することにより暗号化されたプログラムコードを実行してコンピュータにインストールさせることによっても供給することができる。
【００９２】
上述した実施の形態の機能は、プログラムコードを複数のファイルに分割し、夫々のファイルを異なるホームページからダウンロードすることによっても実現することができる。即ち、本発明の機能処理をコンピュータで実現させるためのプログラムファイルを複数のユーザに対してダウンロードさせるＷＷＷサーバも、本発明を構成する。
【００９３】
また、上述した実施の形態の機能は、記憶媒体から読出されたプログラムが、コンピュータに挿入された機能拡張ボード又はコンピュータに接続された機能拡張ユニットに備えられたメモリに書込まれた後、そのプログラムの指示に基づき、その機能拡張ボード又は機能拡張ユニットに備えられたＣＰＵ又はＭＰＵ等が実際の処理の一部又は全部を実行することによっても実現することができる。
【図面の簡単な説明】
【００９４】
【図１】本発明の第１の実施の形態に係るテレビジョン放送受信装置の詳細構成を示すブロック図である。
【図２】テレビジョン放送受信装置の設置例を示す図である。
【図３】テレビジョン放送受信装置（Ｒｏｏｍ１）の制御方法を示すフローチャートである。
【図４】テレビジョン放送受信装置（Ｒｏｏｍ２）の制御方法を示すフローチャートである。
【図５】本発明の第２実施の形態に係るテレビジョン放送受信装置（Ｒｏｏｍ１）の制御方法を示すフローチャートである。
【図６】テレビジョン放送受信装置（Ｒｏｏｍ２）の制御方法を示すフローチャートである。
【図７】本発明の第３実施の形態に係るテレビジョン放送受信装置の設置例を示す図である。
【図８】テレビジョン放送受信装置（Ｒｏｏｍ１）の制御方法を示すフローチャートである。
【図９】テレビジョン放送受信装置（Ｒｏｏｍ２）の制御方法を示すフローチャートである。
【図１０】本発明の第４実施の形態に係るテレビジョン放送受信装置の設置例を示す図である。
【図１１】テレビジョン放送受信装置（Ｒｏｏｍ１）の制御方法を示すフローチャートである。
【図１２】テレビジョン放送受信装置（Ｒｏｏｍ２）の制御方法を示すフローチャートである。
【符号の説明】
【００９５】
１  地上波デジタルチューナ
７  表示器  ８  ＢＳ／ＣＳチューナ
１０  ＣＰＵ（記録制御手段、取得手段、指示手段、電源制御手段）
１３  ＨＤＤ（記録手段）
１５  センサ（検知手段）
ＤＴＶ１  第１のテレビジョン放送受信装置
ＤＴＶ２  第２のテレビジョン放送受信装置
ＲＸ  双方向リモコン（遠隔操作手段）
Ｌ００  ネットワーク信号線
【図１】
2006094204.tif 000003
【図２】
2006094204.tif 000004
【図３】
2006094204.tif 000005
【図４】
2006094204.tif 000006
【図５】
2006094204.tif 000007
【図６】
2006094204.tif 000008
【図７】
2006094204.tif 000009
【図８】
2006094204.tif 000010
【図９】
2006094204.tif 000011
【図１０】
2006094204.tif 000012
【図１１】
2006094204.tif 000013
【図１２】
2006094204.tif 000014